(57)【要約】【課題】前扉が軽量化できることで、開閉補助手段の削減・小型化が達成できる遊技装置を得る。【解決手段】装置本体２７内に配設された回転自在な回胴３７ａ、３７ｂ、３７ｃと、回胴３７ａ、３７ｂ、３７ｃを装置外部から視認可能とした窓部３５と、回胴３７ａ、３７ｂ、３７ｃを回転操作するための操作部３３と、手置き部７２と、個別メダル投入口４１と、装置内部を開放する前扉９１とを具備した遊技装置１００であって、前扉９１は、窓部３５を有し、水平に配置される上辺部９１ａと同方向の支持軸を介し上部が装置本体２７に回転自在に支持されるとともに、下部９１ｃが開閉端となって上下方向に開閉動可能となる。そして、前扉９１と装置本体２７との間には、前扉９１の開動力の一部を負担する開閉補助手段９５を設けた。【選択図】        図１
2004267318.tif 000002
【特許請求の範囲】
【請求項１】
装置本体内に配設された回転自在な回胴と、該回胴を装置外部から視認可能とした窓部と、前記回胴を回転操作するための操作部と、手置き部と、個別メダル投入口と、装置内部を開放する前扉とを具備した遊技装置であって、
前記前扉は、前記窓部を有し、水平に配置される上辺部と同方向の支持軸を介し上部が装置本体に回転自在に支持されるとともに下部が開閉端となって上下方向に開閉動可能となり、
該前扉と前記装置本体との間には前記前扉の開動力の一部を負担する開閉補助手段が設けられたことを特徴とする遊技装置。
【請求項２】
請求項１記載の遊技装置であって、
前記窓部と前記個別メダル投入口とが前記装置本体の間口方向に並んで配設され、
該個別メダル投入口が前記前扉に形成されたことを特徴とする遊技装置。
【請求項３】
請求項１又は２記載の遊技装置であって、
前記装置本体には、前記前扉の下部に対応する位置に係止片が突設され、
前記前扉の下部にシリンダ錠が設けられ、
前記前扉の下部の裏面には、前記前扉の閉動によりフックが前記係止片に当接して揺動することによって該係止片に係止し前記前扉の開放を阻止するとともに前記シリンダ錠の解錠操作により前記フックが揺動し前記係止を解除して前記前扉の開放を可能とするロック機構が設けられたことを特徴とする遊技装置。
【請求項４】
請求項１又は２記載の遊技装置であって、
前記前扉の下部の裏面には、係止片が突設され、
前記前扉の下部に対応する装置本体にはシリンダ錠が設けられ、
前記装置本体には、前記前扉の閉動によりフックが前記係止片に当接して揺動することによって該係止片に係止し前記前扉の開放を阻止するとともに前記シリンダ錠の解錠操作により前記フックが揺動し前記係止を解除して前記前扉の開放を可能とするロック機構が設けられたことを特徴とする遊技装置。
【請求項５】
請求項３又は４記載の遊技装置であって、
前記前扉の下部と、前記装置本体との間に形成される間隙を横断して塞ぐ邪魔板が、前記装置本体に突設されたことを特徴とする遊技装置。
【発明の詳細な説明】
【０００１】
【発明の属する技術分野】
本発明は、装置内部を開放する前扉と、前扉の開動力の一部を負担する開閉補助手段とを備えた遊技装置に関し、特に、前扉の開閉容易性、開閉補助手段の小型化と共に、前扉開閉構造の防犯性を高める改良技術に関する。
【０００２】
【従来の技術】
遊技装置であるスロットマシンは、外周面に所定間隔で描かれた複数の図柄列のうち一部が表示窓に表示されるように並列に配置された複数の回胴を備え、起動スイッチによって各回胴が互いに独立に回転を開始するとともに、停止スイッチによる停止操作によって各回胴が順次停止し、その停止時に各回胴の図柄が予め定められた所定の組み合わせで表示窓に並ぶと入賞となり、遊技媒体である遊技メダルの払い出しが行われる。
【０００３】
この種のスロットマシンでは、搬送中に詰まったメダル等を取り出す場合や、蓄積ボックスに溜まったメダルを回収する場合等に、管理者によって装置本体の前面に設けられたフロントドア（メンテナンスドアと称されることもある）が開けられて、これらの作業が行われる。
【０００４】
この出願の発明に関連する先行技術文献情報としては次のものがある。
【特許文献１】
特開２００２−３４６０２９号公報
【０００５】
例えば、上記特許文献１に開示されるゲーム装置１では、図７に示すように、遊技媒体を投入部３に投入してゲームを行うゲーム装置１において、本体部５と、ゲームが展開される表示部７を有し、本体部５に対して開閉自在なメインドア９と、メインドア９の下方でかつ本体部５の前面に着脱可能に設けられたフロントドア１１とを備え、メインドア７が閉じることで、本体部５へのフロントドア１１の着脱がロックされ、メインドア７が開くことで、ロックが解除されるように構成されていた。また、メインドア７と本体部５には、左右２本の油圧シリンダ１３、１３が掛け渡され、メインドア７を開けるには、管理者やサービスマン等が手前の肘置き１５を持ち上げればよく、この際、油圧シリンダ１３、１３の伸長力によって、メインドア７の開動力の一部が負担され、さほど力を入れること無くメインドア７を開けることができるようになっていた。
【０００６】
【発明が解決しようとする課題】
しかしながら、上記した従来のゲーム装置は、回胴を回転操作するための操作部、肘置き、個別メダル投入口等の全てがメインドアに設けられていることから、メインドアの重量が大きくなる問題があった。このため、メインドアと本体部には、所定の補助能力を有する大型の油圧シリンダが左右２本必要となり、メインドアの開閉操作性が低下するとともに、製品コストを増大させていた。また、メインドアが開閉自在な構造であることから、メインドアの下部と本体部との間には間隙が形成される。このため、この間隙に針金等が挿入されれば、メインドアを本体部にロックしているロック機構を不正に解除することが可能となり、高い防犯性を確保することが困難であった。
本発明は上記状況に鑑みてなされたもので、その第１の目的は、前扉が軽量化できることで、開閉補助手段の削減・小型化が達成できる遊技装置を得ることにある。また、その第２の目的は、前扉と装置本体との間隙への針金等の挿入を阻止して、防犯性を高めることのできる遊技装置を得ることにある。
【０００７】
【課題を解決するための手段】
上記目的を達成するための本発明に係る請求項１記載の遊技装置は、装置本体内に配設された回転自在な回胴と、該回胴を装置外部から視認可能とした窓部と、前記回胴を回転操作するための操作部と、手置き部と、個別メダル投入口と、装置内部を開放する前扉とを具備した遊技装置であって、前記前扉は、前記窓部を有し、水平に配置される上辺部と同方向の支持軸を介し上部が装置本体に回転自在に支持されるとともに下部が開閉端となって上下方向に開閉動可能となり、
該前扉と前記装置本体との間には前記前扉の開動力の一部を負担する開閉補助手段が設けられたことを特徴とする。
【０００８】
この遊技装置では、装置本体の内部を開放する前扉が、装置本体の前面に設けられ、この前扉は、窓部のみを有し、開閉補助手段によって開動力の一部が負担されるようになっている。一方、操作部、手置き部、個別メダル投入口は、装置本体側に設けられている。従って、操作部、手置き部、個別メダル投入口が前扉側に設けられる構造に比べ、前扉が軽量となる。これにより、前扉の開閉が容易になるとともに、開閉補助手段の削減が可能となり、かつより小型の開閉補助手段が適用可能となる。
【０００９】
請求項２記載の遊技装置は、請求項１記載の遊技装置であって、前記窓部と前記個別メダル投入口とが前記装置本体の間口方向に並んで配設され、該個別メダル投入口が前記前扉に形成されたことを特徴とする。
【００１０】
この遊技装置では、装置本体の間口方向に並んで配設された窓部と個別メダル投入口とが共に前扉に形成され、前扉が装置本体の間口方向の全域に亘って形成可能となる。従って、前扉を開放した場合には、装置本体の内部が、当該前扉部分で間口方向の全域に亘って開放され、大きな開口面積が確保されて、装置本体内部へのメンテナンス性が良好となる。
【００１１】
請求項３記載の遊技装置は、請求項１又は２記載の遊技装置であって、前記装置本体には、前記前扉の下部に対応する位置に係止片が突設され、前記前扉の下部にシリンダ錠が設けられ、前記前扉の下部の裏面には、前記前扉の閉動によりフックが前記係止片に当接して揺動することによって該係止片に係止し前記前扉の開放を阻止するとともに前記シリンダ錠の解錠操作により前記フックが揺動し前記係止を解除して前記前扉の開放を可能とするロック機構が設けられたことを特徴とする。
【００１２】
この遊技装置では、前扉が閉動されると、前扉に設けられたロック機構のフックが、装置本体に設けられた係止片に当接する。前扉がさらに閉動されて、閉鎖されると、フックが係止片からの反力を受けて揺動され、係止片に係止する。従って、前扉は、係止片に係止したフックを介して装置本体にロックされ開動不能となる。また、装置本体の外部で、シリンダ錠が合鍵によって解錠操作されると、フックが揺動され、フックと係止片との係止が解除されて、前扉が開放可能となる。なお、ロックが解除された前扉は、シリンダ錠に挿入した合鍵を介して持ち上げることが可能となる。これにより、閉動のみの容易な操作で、前扉の確実な施錠が可能となる。
【００１３】
請求項４記載の遊技装置は、請求項１又は２記載の遊技装置であって、前記前扉の下部の裏面には、係止片が突設され、前記前扉の下部に対応する装置本体にはシリンダ錠が設けられ、前記装置本体には、前記前扉の閉動によりフックが前記係止片に当接して揺動することによって該係止片に係止し前記前扉の開放を阻止するとともに前記シリンダ錠の解錠操作により前記フックが揺動し前記係止を解除して前記前扉の開放を可能とするロック機構が設けられたことを特徴とする。
【００１４】
この遊技装置では、ロック機構が装置本体側に設けられ、前扉には係止片のみが設けられることになる。これにより、前扉のさらなる軽量化が可能となる。
【００１５】
請求項５記載の遊技装置は、請求項３又は４記載の遊技装置であって、前記前扉の下部と、前記装置本体との間に形成される間隙を横断して塞ぐ邪魔板が、前記装置本体に突設されたことを特徴とする。
【００１６】
この遊技装置では、前扉が開閉自在な構造であることで形成される、前扉の下部と装置本体との間の間隙が、装置本体に突設された邪魔板によって、装置本体の内部で塞がれる。これにより、例えば針金等をこの間隙から挿入してフックと係止片との係止を解除する不正なロック解除が防止され、開閉自在な前扉を備えた構造の防犯性が高められる。
【００１７】
【発明の実施の形態】
以下、本発明に係る遊技装置の好適な実施の形態を図面を参照して詳細に説明する。
図１は本発明に係る遊技装置の前扉が開放された状態の外観斜視図、図２は図１に示した遊技装置の前扉が閉鎖された状態の外観斜視図、図３は図１に示した遊技装置の分解斜視図、図４は図１に示した遊技装置の装置本体を表す斜視図、図５は図１に示したロック機構の斜視図、図６は図１に示したロック機構近傍の間隙部における断面図である。
【００１８】
この実施の形態による遊技装置（以下、「スロットマシン」という）１００は、図２に示すように、複数の図柄列を回転表示させる表示手段２１と、複数の図柄列の回転を開始させる起動スイッチ２３と、図柄列を個々に停止させる停止スイッチ２５とを装置本体２７の前面で間口方向に並設して備えている。装置本体２７の前面上部には、運転表示灯２９、配当表示パネル３１が取付けられている。表示手段２１の下方には、上記起動スイッチ２３、上記停止スイッチ２５等が設けられた操作部３３が位置している。
【００１９】
表示手段２１には図示しない３本の平行な線とＸ字状に交差する２本の線とからなる５本の入賞ラインが画かれた窓部３５が設けられ、窓部３５のなかには周面に複数の異なる図柄列を表示する図３に示す三つの回胴リール３７ａ、３７ｂ、３７ｃが内蔵される。各回胴リール３７ａ、３７ｂ、３７ｃの停止時には、入賞ラインに沿うように３列３段計９個の図柄が窓部３５から視認されるようになしている。
【００２０】
操作部３３の左方には、投入個数１、２及び３個に対応した貯留メダル投入ボタン３９ａ、３９ｂ、３９ｃが設けられている。操作部３３の右方には、個別メダル投入口４１と、一括メダル投入口４３が配置されている。これら、貯留メダル投入ボタン３９ａ、３９ｂ、３９ｃと個別メダル投入口４１とによってメダル投入機構が構成されている。また、操作部３３の左端直上にはメダル清算ボタン４５が設けられる。操作部３３の中央部に設けられた図柄列の停止スイッチ２５は、各回胴リール３７ａ、３７ｂ、３７ｃに対応した停止ボタン２５ａ、２５ｂ、２５ｃが配列されている。
【００２１】
また、図３に示すように、装置本体２７の上部には、照明ランプ４７が内蔵され、照明ランプ４７の左右にはサイドスピーカ４９、４９が内蔵される。装置本体２７内部の回胴リール３７ａ、３７ｂ、３７ｃの近傍には、集中端子基板５１と、サブ基板５３と、第１メイン基板５５及び第２メイン基板５７とを搭載するメイン基板取付ボート５９が取り付けられる。
【００２２】
操作部３３と表示手段２１の窓部３５との間には補給シュート６１が開口され、補給シュート６１に投入された遊技メダルは、装置本体２７の下部に内蔵されるホッパータンク６３に収納される。ホッパータンク６３の近傍には補助収納庫６５が装着され、補助収納庫６５はホッパータンク６３で収納しきれない遊技メダルを収納するようになっている。装置本体２７の下部左上にはスピーカブラケット６７を介してウーハスピーカ６９が取り付けられる。また、装置本体２７の底板の前方両側の隅２箇所には、装置本体２７の高低レベルを調整するためのレベル調整装置７１が設けられている。
【００２３】
装置本体２７の前面から遊技者に向かって延出した操作部３３には、さらに遊技者に向かって延出する手置き部７２が装置本体２７の間口方向に亘って連続して設けられている。
【００２４】
装置本体２７は、図４に示すように、対向する内面８１ａ、８１ａ同士の間に、回胴リール３７ａ、３７ｂ、３７ｃを配設する一対の側板８１、８１と、この一対の側板８１、８１の底部８１ｂ同士を連結する底板８３と、一対の側板８１、８１の後縁８１ｃ同士を連結する背板８５と、一対の側板８１、８１の上部８１ｄ同士を連結する天板８７とを備えてなる。
【００２５】
そして、これら側板８１、８１、底板８３、背板８５及び天板８７は、木質材からなる。この木質材としては、無垢の木板、木製合板（プライウッド）、木毛板（シージングボード）等を用いることができる。木質材の接続手段は、釘や螺子が用いられ、必要に応じてＬ形金具等の連結用金具が使用される他、接着剤が用いられてもよい。
【００２６】
一対の側板８１、８１には、装置内部を開放する前扉９１が設けられている。前扉９１は、上記の窓部３５を有し、水平に配置される上辺部９１ａと同方向の支持軸９３を介し上部９１ｂが、装置本体２７に回転自在に支持される。従って、支持軸９３を介して回転自在となった前扉９１は、下部９１ｃが開閉端となって、上下方向に開閉動可能となっている。
【００２７】
前扉９１と装置本体２７との間には、前扉９１の開動力の一部を負担する一台の開閉補助手段９５が設けられている。開閉補助手段９５としては、例えば油圧シリンダ、ガスシリンダ、コイルスプリング等を好適に用いることができる。本実施の形態では、開閉補助手段９５としてガスシリンダが設けられている。開閉補助手段９５は、通常状態でシリンダ内に封入されたガス圧によってロッドを所定の伸長力で突出させている。この伸長力は、閉鎖された前扉９１の開動に必要な持ち上げ力に対して、若干小さく設定されている。これにより、前扉９１を開動する際には、前扉９１の開動力の一部が開閉補助手段９５の伸長力によって負担され、僅かな力で前扉９１が開動できるようになっている。
【００２８】
本実施の形態においては、窓部３５と個別メダル投入口４１とが装置本体２７の間口方向に並んで配設されている。そして、前扉９１には、上記の窓部３５に加えて、個別メダル投入口４１も形成されている。このため、個別メダル投入口４１を設けることにより若干の重量が増えるが、その分、前扉９１が装置本体２７の間口方向の全域に亘って形成可能となる。従って、前扉９１を開放した場合には、装置本体２７の内部が、当該前扉９１部分で間口方向の全域に亘って開放され、大きな開口面積が確保されて、装置本体２７内部へのメンテナンス性が良好となる。
【００２９】
なお、本実施の形態では、前扉９１に、個別メダル投入口４１が設けられる場合を例に説明するが、前扉９１は、個別メダル投入口４１の部分を切り欠くことで、窓部３５のみを形成するものであってもよい。この場合、装置本体２７側に設けられた個別メダル投入口４１が切欠部を介して表出されることとなり、前扉９１のさらなる軽量化が可能となる。
【００３０】
前扉９１の下部９１ｃと、装置本体２７とには、図５に示すロック機構１０１が設けられている。ロック機構１０１は、前扉９１の下部９１ｃに設けられたシリンダ錠１０３と、このシリンダ錠１０３の錠軸１０５に取付けられたカム板１０７と、左右一対のフック１０９、１０９を有する摺動杆１１１と、摺動杆１１１を摺動自在に前扉９１に取り付けるフレーム１１３とからなる。また、前扉９１の下部９１ｃに応じた装置本体２７の内面には、フック１０９、１０９が係脱する係止片１１５、１１５が固着されている。
【００３１】
従って、前扉９１が閉動されると、前扉９１に設けられたフック１０９、１０９が、装置本体２７に設けられた係止片１１５、１１５に当接する。前扉９１がさらに閉動されて、閉鎖されると、フック１０９、１０９が係止片１１５、１１５からの反力を受けて揺動され、係止片１１５、１１５に係止する。従って、前扉９１は、係止片１１５、１１５に係止したフック１０９、１０９を介して装置本体２７にロックされ開動不能となる。
【００３２】
また、装置本体２７の外部で、シリンダ錠１０３が合鍵によって解錠操作されると、カム板１０７、摺動杆１１１を介してフック１０９、１０９が揺動され、フック１０９、１０９と係止片１１５、１１５との係止が解除されて、前扉９１が開放可能となる。なお、ロックが解除された前扉９１は、シリンダ錠１０３に挿入した図示しない合鍵を介して持ち上げることが可能となる。これにより、閉動のみの容易な操作で、前扉９１の確実な施錠が行えるようになっている。
【００３３】
なお、本実施の形態では、ロック機構１０１の主要部が前扉９１に設けられる場合を例に説明するが、ロック機構１０１は、これとは逆に、その主要部が装置本体２７側に設けられるものであってもよい。即ち、この変形例では、図示は省略するが、前扉の下部の裏面に、係止片が突設され、前扉の下部に対応する装置本体にシリンダ錠が設けられる。そして、装置本体には、上記の錠軸１０５、カム板１０７、フック１０９、１０９、摺動杆１１１、フレーム１１３が設けられることになる。この変形例によれば、ロック機構の主要部が装置本体２７側に設けられ、前扉９１には係止片１１５、１１５のみが設けられることになる。これにより、前扉９１のさらなる軽量化が可能となる。
【００３４】
そして、装置本体２７には、図６に示すように、前扉９１の下部９１ｃに対応する位置で、邪魔板１２１が突設されている。この邪魔板１２１は、前扉９１の下部９１ｃと、装置本体２７との間に形成される間隙１２３を横断して塞いでいる。従って、前扉９１が開閉自在な構造であることで形成される、前扉９１の下部９１ｃと装置本体２７との間の間隙１２３が、装置本体２７に突設された邪魔板１２１によって、装置本体２７の内部で塞がれる。これにより、例えば針金等をこの間隙１２３から挿入してフック１０９、１０９と係止片１１５、１１５との係止を解除する不正なロック解除が防止され、開閉自在な前扉９１を備えた構造の防犯性が高められている。
【００３５】
このように構成された遊技装置によれば、装置本体２７の内部を開放する前扉９１が、装置本体２７の前面に設けられ、この前扉９１は、窓部３５と個別メダル投入口４１のみを有し、かつ開閉補助手段９５によって開動力の一部が負担されるようになっている。一方、操作部３３、手置き部７２は、装置本体２７側に設けられている。従って、操作部３３、手置き部７２が窓部３５側に設けられる従来の構造に比べ、窓部３５が軽量となる。これにより、窓部３５の開閉が容易になるとともに、開閉補助手段９５の削減が可能となり（本実施の形態のように開閉補助手段９５を一台とすることが可能となり）、かつより小型の開閉補助手段９５が適用可能となる。
【００３６】
【発明の効果】
以上詳細に説明したように、本発明に係る遊技装置によれば、装置本体の内部を開放する前扉を、装置本体の前面に設け、この前扉には窓部のみを設けて、開閉補助手段により開動力の一部を負担するようにしたので、操作部、手置き部、個別メダル投入口を前扉に設ける構造に比べ、前扉の軽量化を達成することができる。この結果、前扉の開閉を容易にすることができるとともに、開閉補助手段を削減でき、かつより小型の開閉補助手段を用いることができるようになる。
【図面の簡単な説明】
【図１】本発明に係る遊技装置の前扉が開放された状態の外観斜視図である。
【図２】図１に示した遊技装置の前扉が閉鎖された状態の外観斜視図である。
【図３】図１に示した遊技装置の分解斜視図である。
【図４】図１に示した遊技装置の装置本体を表す斜視図である。
【図５】図１に示したロック機構の斜視図である。
【図６】図１に示したロック機構近傍の間隙部における断面図である。
【図７】メインドアを開放した従来のゲーム機の斜視図である。
【符号の説明】
２７…装置本体、３３…操作部、３５…窓部、３７ａ，３７ｂ，３７ｃ…回胴リール（回胴）、４１…個別メダル投入口、７２…手置き部、９１…前扉、９１ａ…上辺部、９１ｂ…上部、９１ｃ…下部、９３…支持軸、９５…開閉補助手段、１００…遊技装置、１０１…ロック機構、１０３…シリンダ錠、１０９…フック、１１５…係止片、１２１…邪魔板、１２３…間隙
【図１】
2004267318.tif 000003
【図２】
2004267318.tif 000004
【図３】
2004267318.tif 000005
【図４】
2004267318.tif 000006
【図５】
2004267318.tif 000007
【図６】
2004267318.tif 000008
【図７】
2004267318.tif 000009